(57)【特許請求の範囲】
【請求項１】
ユニット本体と上記ユニット本体と電気的に接続された制御機器とを有するモータコントロールセンタ用ユニットであって、上記ユニット本体が、ユニットベースと上記ユニットベースの両側縁部の各々に接合されたフレームと上記ユニットベースの上側縁部に接合された仕切板とで形成された筐体と、上記ユニットベースに搭載された電気機器とを備え、上記制御機器が制御機器取付板に設置され、上記制御機器を設置した上記制御機器取付板が、上記ユニット本体の電気機器搭載側に設けられた保持部に取付けられ、上記制御機器取付板には第１の突出部と第２の突出部とが形成され、上記第１の突出部と上記第２の突出部とを上記筐体に当接させたモータコントロールセンタ用ユニット。
【請求項２】
上記制御機器取付板の寸法が、上記制御機器を取付けられることができ、且つ筐体前面開口部より小さい寸法であることを特徴とする請求項１に記載のモータコントロールセンタ用ユニット。
【請求項３】
上記制御機器取付板が、上記制御機器取付板のヒンジ部で上記保持部にヒンジピンにより回動可能に取付けられていることを特徴とする請求項１または請求項２に記載のモータコントロールセンタ用ユニット。
【請求項４】
上記制御機器取付板の上記第１の突出部が、上記フレームの筐体前面開口部側の端部に当接しており、上記制御機器取付板の上記第２の突出部が、上記仕切板の上記筐体前面開口部側の端部に当接しており、且つ上記第２の突出部に設けられた挿通孔を挿通させたネジで、上記仕切板に固定されていることを特徴とする請求項１から請求項３のいずれか１項に記載のモータコントロールセンタ用ユニット。
【請求項５】
請求項１から請求項４のいずれか１項のモータコントロールセンタ用ユニットが挿入され、且つ一面が開口した箱体と、上記開口を塞ぐ扉とを備えたモータコントロールセンタであって、上記扉にブレーカ用の孔と制御機器用の孔とが形成されており、上記制御機器用の孔が上記制御機器を設置した上記制御機器取付板で塞ぐことができる寸法と形状であり、上記ブレーカ用の孔から上記電気機器であるブレーカの操作部が露出しており、上記制御機器用の孔から上記制御機器の表示部や操作部が露出していることを特徴とするモータコントロールセンタ。
【発明の詳細な説明】
【技術分野】
【０００１】
本発明は、モータコントロールセンタとモータコントロールセンタに用いられる電気機器が収納されているユニットに関するものである。
【背景技術】
【０００２】
通常、電気装置は、筐体であるボックスに収納されて用いられている。例えば、ブレーカやマグネットや電力計等の電気機器が用いられた電気装置では、電気機器は、一面を開口した箱体に設置されるとともに、電力計の表示部やブレーカ等の操作部は、箱体の開口を塞ぐ蓋体の孔部から露出している（例えば、特許文献１参照）。
このようなことより、従来のモータコントロールセンタでは、電気機器を収納したユニット本体と、モータコントロールセンタの扉に取付けられた制御機器とで形成されたモータコントロールセンタ用ユニット（ユニットと記す）が用いられている。
【先行技術文献】
【特許文献】
【０００３】
【特許文献１】特開平０９−１６３５２０号公報（第２頁、第２図）
【発明の概要】
【発明が解決しようとする課題】
【０００４】
従来のモータコントロールセンタに用いられるユニットは、ユニット本体とモータコントロールセンタの扉に取付けられた制御機器とでユニットが形成されているので、扉に取付けられた制御機器とユニット本体とが配線で接続されている。
すなわち、従来のモータコントロールセンタに用いられるユニットは、ユニット本体と扉に取付けられた制御機器とを、配線で接続する作業が必要であり、ユニットを組立てる工程が多くなり、生産性が低くなるとの問題があった。
【０００５】
また、制御機器は、モータコントロールセンタの孔加工をした扉に取付けられているので、制御機器を変更すると、扉を交換する必要があり、ユニットの制御機器を変更する場合のコストが増加するとの問題があった。
また、モータコントロールセンタでは、モータコントロールセンタからユニットを引出す構造になっているので、扉に取付けられた制御機器とユニット本体とが配線で接続されている従来のユニットでは、ユニットを引出す時やメンテナンスをする時の作業性が悪いとの問題もあった。
【０００６】
本発明は、上記のような問題を解決するためになされたものであり、その目的は、組立の作業性を向上させ、ユニットを引出す時やメンテナンスをする時の作業性を向上させ、さらには、制御機器を変更する場合のコストを低減させることができるユニットと、このユニットを用いたモータコントロールセンタを得ることである。
【課題を解決するための手段】
【０００７】
本発明に係わるモータコントロールセンタ用ユニットは、ユニット本体とユニット本体と電気的に接続された制御機器とを有するモータコントロールセンタ用ユニットであって、ユニット本体が、ユニットベースとユニットベースの両側縁部の各々に接合されたフレームとユニットベースの上側縁部に接合された仕切板とで形成された筐体と、ユニットベースに搭載された電気機器とを備え、制御機器が制御機器取付板に設置され、制御機器を設置した制御機器取付板が、ユニット本体の電気機器搭載側に設けられた保持部に取付けられ、制御機器取付板には第１の突出部と第２の突出部とが形成され、第１の突出部と第２の突出部とを筐体に当接させたものである。
【発明の効果】
【０００８】
本発明に係わるモータコントロールセンタ用ユニットは、ユニット本体とユニット本体と電気的に接続された制御機器とを有するモータコントロールセンタ用ユニットであって、ユニット本体が、ユニットベースとユニットベースの両側縁部の各々に接合されたフレームとユニットベースの上側縁部に接合された仕切板とで形成された筐体と、ユニットベースに搭載された電気機器とを備え、制御機器が制御機器取付板に設置され、制御機器を設置した制御機器取付板が、ユニット本体の電気機器搭載側に設けられた保持部に取付けられ、制御機器取付板には第１の突出部と第２の突出部とが形成され、第１の突出部と第２の突出部とを筐体に当接させたものであり、ユニット組立時の作業性向上と、ユニットを引出す時やメンテナンスをする時の作業性向上と、制御機器を変更する場合のコスト低減とができる。
【図面の簡単な説明】
【０００９】
【図１】本発明の実施の形態１に係わるモータコントロールセンタ用ユニットの正面模式図である。
【図２】本発明の実施の形態１に係わるモータコントロールセンタ用ユニットにおいて、制御機器が設置された制御機器取付板を回動させた状態を示す正面模式図である。
【図３】本発明の実施の形態１に係わるモータコントロールセンタ用ユニットにおいて、制御機器が設置された制御機器取付板を回動させた状態を示す上面模式図である。
【図４】本発明の実施の形態２に係わるモータコントロールセンタの正面模式図である。
【発明を実施するための形態】
【００１０】
実施の形態１．
図１は、本発明の実施の形態１に係わるモータコントロールセンタ用ユニットの正面模式図である。
図１に示すように、本実施の形態のモータコントロールセンタ用ユニット（ユニットと記す）１００には、ユニットベース１３と、ユニットベース１３の両側縁部の各々に接合されたフレーム１２と、ユニットベース１３の上側縁部に接合された仕切板１１とで形成された筐体が用いられている。
この筐体のユニットベース１３には、ブレーカ（遮断機）６、各種の補助リレー７、コンタクタ（電磁開閉器）８、サーマル（電磁接触機）９等の電気機器が搭載されている。また、ユニットベース１３の下側縁部に、端子台１０が取付けられている。
すなわち、本実施の形態のユニット１００のユニット本体は、上記筐体、上記電気機器、端子台１０等を備えている。
【００１１】
本実施の形態のユニット１００では、電気機器の一種である制御機器４は、制御機器取付板１に設置されている。
そして、制御機器取付板１には、例えば鉄板等が用いられ、設置される制御機器４の形状や個数に対応した加工がなされている。
また、制御機器取付板１には、一方のフレーム１２と対向する縁部に第１の突出部１４が形成され、この第１の突出部１４が形成された縁部の反対側の縁部にヒンジ部５が形成され、仕切板１１と対向する縁部に第２の突出部１５が形成されている。
本実施の形態では、制御機器取付板１に設置された制御機器４は、その表示部および操作部を、筐体におけるユニットベース１３側とは反対側の前面開口部（筐体前面開口部と記す）の方向に露出している。
それと、制御機器４とユニット本体との配線には、後述する制御機器取付板１の回動を可能にする長さのケーブルが用いられる。また、この配線に、制御機器取付板１の回動が可能な長さの、フラットケーブルや絶縁シートの表面に複数の導通路を形成したフレキシブル配線板を用いても良い。
【００１２】
制御機器取付板１のヒンジ部５は、ユニット本体の電気機器搭載側に設けられた保持部に、ヒンジピン５ａで回動可能に取付けられている。すなわち、制御機器４が設置された制御機器取付板１は、保持部を介してユニット本体の筐体前面開口部側に取付けられている。そして、保持部は、例えば、ブレーカ６と制御機器取付板１との間のユニットベース１３、あるいは、ブレーカ６の制御機器取付板１側の端部に設けられている。また、保持部は、ヒンジピン５ａを貫通させる孔を有する部分（ヒンジピン貫通部と記す）と、このヒンジピン貫通部を所定の高さにする脚部とから形成されている。
また、第１の突出部１４は、フレーム１２の筐体前面開口部側の端部に当接している。第２の突出部１５は、仕切板１１の筐体前面開口部側の端部に当接しており、且つ第２の突出部１５に設けられた挿通孔を挿通させたネジ１６で、仕切板１１に固定されている。
また、制御機器取付板１の寸法は、制御機器４の設置と保持部を介してのユニット本体への取付けとが可能である寸法であるとともに、筐体前面開口部よりかなり小さい寸法である。
【００１３】
図２は、本発明の実施の形態１に係わるモータコントロールセンタ用ユニットにおいて、制御機器が設置された制御機器取付板を回動させた状態を示す正面模式図である。
図３は、本発明の実施の形態１に係わるモータコントロールセンタ用ユニットにおいて、制御機器が設置された制御機器取付板を回動させた状態を示す上面模式図である。
図２と図３とに示すように、本実施の形態のユニット１００では、制御機器４が設置された制御機器取付板１は、ヒンジピン５ａを軸として、回動可能である。
【００１４】
本実施の形態のユニット１００は、制御機器４が設置された制御機器取付板１が、ヒンジ部５のヒンジピン５ａを軸として回動することにより開閉可能であるので、ユニットベース１３に搭載された電気機器の交換やメンテナンスが容易である。
また、制御機器４が、モータコントロールセンタの扉に取付けられておらず、制御機器取付板１を用いてユニット本体に取付けられているので、制御機器４とユニット本体との結線が容易であり、ユニット１００の組立工程を少なくでき、生産性を向上できる。
【００１５】
また、制御機器４とユニット本体とが一体となっているので、モータコントロールセンタからユニット１００を引出す時や、ユニットをメンテナンスする時の作業性を改善できる。
また、制御機器取付板１を取替えることにより、別の制御機器４に変更できるが、制御機器取付板１の寸法が、制御機器４の設置と保持部を介してユニット本体への搭載とができる寸法であるとともに、筐体前面開口部よりかなり小さい寸法であるので、従来のものと比べ、制御機器４を変更する場合のコストを低減できる。
【００１６】
実施の形態２．
図４は、本発明の実施の形態２に係わるモータコントロールセンタの正面模式図である。
本実施の形態のモータコントロールセンタ２００は、実施の形態１のユニット１００を用いたものであり、一面が開口した箱体（図示せず）に、ユニット１００がセットされ、ユニット１００を挿入する開口面に、扉１７が設置されている。
図４に示すように、扉１７には、ブレーカ用の孔１８と制御機器用の孔１９とが形成されており、ブレーカ用の孔１８からブレーカ６の操作部が露出しており、制御機器用の孔１９から制御機器４の表示部や操作部が露出している。そして、制御機器用の孔１９は、制御機器取付板１で塞ぐことができる寸法と形状であれば良く、その形状は、例えば、図４に示すような矩形状である。しかし、この形状に限定されるものではない。
【００１７】
本実施の形態のモータコントロールセンタ２００は、ユニットに実施の形態１のユニット１００を用いているので、実施の形態１と同様な効果を有する。
特に、扉１７の構造が、上記のような構造であるので、ユニットの制御機器４を変更したとしても、扉１７の制御器用の孔１９を塞ぐことができる寸法と形状、すなわち扉１７よりかなり小さい寸法の制御機器取付板１を取替えればよく、扉１７の取替えが不要であり、モータコントロールセンタ２００のメンテナンスコストを低減できる。
【産業上の利用可能性】
【００１８】
本発明に係わるモータコントロールセンタ用ユニットは、制御機器が設置された制御機器取付板がユニット本体に、回動可能に取付けられたものであり、制御機器がモータコントロールセンタの扉に取付けられていないので、メンテナンス性に優れるとともに、低コスト化が要求されるモータコントロールセンタに利用できる。
【符号の説明】
【００１９】
１  制御機器取付板、４  制御機器、５  ヒンジ部、５ａ  ヒンジピン、
６  ブレーカ、７  補助リレー、８  コンタクタ、９  サーマル、１０  端子台、
１１  仕切板、１２  フレーム、１３  ユニットベース、１４  第１の突出部、
１５  第２の突出部、１６  ネジ、１７  扉、１８  ブレーカ用の孔、
１９  制御機器用の孔、１００  ユニット、２００  モータコントロールセンタ。
【図１】
0005466960.tif 000002
【図２】
0005466960.tif 000003
【図３】
0005466960.tif 000004
【図４】
0005466960.tif 000005